【事件の表示】
　特願２０００−２０６１８８「画像入出力装置および情報処理装置および画像入出力装置の制御方法および情報処理装置の制御方法および記憶媒体」拒絶査定不服審判事件〔平成１４年　１月２５日出願公開、特開２００２−　２７１８７〕について、次のとおり審決する。
【結　論】
　本件審判の請求は、成り立たない。
【理　由】
１．手続の経緯・本願発明
　本願は、平成１２年７月７日の出願であって、平成１８年３月２２日付けで拒絶査定がされ、これに対して、同年４月２７日に拒絶査定不服審判が請求されたものである。
　本願の発明は、平成１７年９月１６日付け手続補正書の特許請求の範囲の請求項１ないし１５に記載されたものと認められるところ、その請求項１に係る発明（以下「本願発明」という。）は次のとおりである。
　
「【請求項１】　複数の画像データを記憶可能な記憶手段と、該記憶手段の画像データの出力を実行可能な出力手段と、外部装置からのデータを受信可能な受信手段と、を有する、画像入出力装置であって、
　前記受信手段は、
　前記出力手段により画像データの出力を実行させるタイミングを特定する時間情報が前記外部装置にてユーザ操作により設定されずに該外部装置から送信された画像データを受信可能であり、
　且つ、前記受信手段は、
　前記出力手段により画像データの出力を実行させるタイミングを特定する時間情報が前記外部装置にてユーザ操作により設定されたうえで該外部装置から送信された画像データを受信可能であり、
　前記画像入出力装置は、
　前記出力手段により画像データの出力を実行させるタイミングを特定する時間情報が前記外部装置にてユーザ操作により設定されずに該外部装置から送信された画像データを前記受信手段が受信した場合に、該画像データを受信した時点で、該画像データの出力を前記出力手段により実行可能にし、
　前記出力手段により画像データの出力を実行させるタイミングを特定する時間情報が前記外部装置にてユーザ操作により設定されたうえで該外部装置から送信された画像データを前記受信手段が受信した場合に、該画像データを受信した時点で該画像データの出力を前記出力手段により実行させずに、該外部装置にて設定された該時間情報に基づいたタイミングで、該画像データの出力を前記出力手段により実行可能にする、制御手段、を、有し、
　前記制御手段は、
　前記出力手段により画像データの出力を実行させるタイミングを特定する時間情報が前記外部装置にてユーザ操作により設定されたうえで該外部装置から送信された画像データを前記受信手段が受信した場合に、該画像データを受信した時点で該画像データの出力自体は前記出力手段により実行させないが、該外部装置にて設定された該時間情報に基づいたタイミングに先立ち、該画像データを前記出力手段により出力させる際の状態に前もって展開しておき、展開済みの該画像データを前記記憶手段に保持させ、該記憶手段の既に展開済の該画像データの出力を、該外部装置にて設定された該時間情報に基づいたタイミングで、前記出力手段により実行可能にする、ことを特徴とする画像入出力装置。」
　
２．引用例
　原査定の拒絶の理由に引用された、特開平１０−２４６４２号公報（以下「引用例」という。）には次の事項が記載されている。
　
　ア　「【０００１】
【発明の属する技術分野】本発明は電子写真複写機、プリンタ等の画像形成装置に関し、特にホスト装置からの予約時間により画像形成に必要な電源をオン状態にさせる画像形成装置に関するものである。」
　
　イ　「【０００４】
【課題を解決するための手段】本発明に係る画像形成装置の請求項１記載の発明は、ホスト装置と双方向に情報を交信するのに必要な副電源と、画像形成に必要な主電源を別けて備えた画像形成装置において、ホスト装置との交信中に常にオン状態にある副電源と、画像形成に必要な主電源と、ホスト装置との間の情報を送受信するインターフェース手段と、受信情報から画像情報と予約時間情報を区別する情報区別手段と、画像情報を記憶する記憶手段と、受信した予約時間情報から時刻を計数し、指定時間に達すると信号を発する予約計数手段とを有し、上記予約計数手段の発する信号によって、上記主電源をオン状態にさせ、上記記憶手段に記憶されている画像情報を画像形成することを特徴とする。」
　
　ウ　「【０００６】
【発明の実施の形態】以下、図面に示した実施の形態例に基づき本発明に係る画像形成装置を詳細に説明する。図１は、本発明のシステム構成例であり、２０はプリンタ装置、２１はホスト装置、１２はアプリケーション、１３はプリンタドライバである。プリンタ装置２０は、ホスト装置２１と双方向に情報を交信出来るように接続され、ホスト装置２１内のアプリケーション１２上で作成された文書データは、通常はプリンタドライバ１３によってプリンタ装置２０に適したプリンタ言語やコードに変換されて、プリンタ装置２０に送られる。プリンタ装置２０は、受信したデータを画像形成可能なビットマップデータに変換した後、用紙上に画像を形成する。図２は、プリンタ装置２０の主要部を示すブロック図である。１は副電源部、２は主電源部、３はインターフェース、４は情報区別部、５は記憶部、６は予約計数部、８は操作部、９はＣＰＵ、１０はＲＯＭ、１１は画像形成部である。ＣＰＵ９は、ＲＯＭ１０内に格納されているプログラムに従ってプリンタ装置２０全体の動作及び操作部８の操作キーから入力されたモード指示やホスト装置２１からのコマンドに応じて動作を制御する。ＲＯＭ１０内には、上述のプログラムの他に文字印刷の際のフォントやパターンデータ等が格納されている。
【０００７】インターフェース３は、ホスト装置２１との間で双方向の通信を行うもので、通常はセントロニクスやＲＳ２３２Ｃ等が用いられる。操作部８には、操作キーの他にプリンタ装置２０の状態を表示する表示パネル等が備わっている。記憶部５は、ホスト装置２１から受信した画像形成に必要な画像情報や、それらのデータから作成されたビットマップデータの格納場所に使われる。またその他に、記憶部５はＣＰＵ９のプログラム動作に一時的に記憶されるメモリーとしても使用され、通常はＲＡＭとハードディスク等で構成されている。また、予約計数部６は日付や時刻が設定されると計時を開始し、指定時刻になると指示を発するように構成されている。予約計数部６の日付や時刻の設定は、情報区別部４によって区別されたホスト装置２１からの予約時間情報によってなされる。画像形成部１１は、記憶部５に整えられた画像形成用のビットマップデータを指定された用紙上にプリントアウトする。」
　
　エ　「【０００８】以上の構成において主要動作を示すと、ホスト装置２１からのデータはインターフェース３を経由して一旦記憶部５に格納される。その後、格納された記憶部５のデータは、情報区別部４によって画像情報と予約時間情報に区別され、予約時間情報はバスラインを経由して予約計数部６に伝達され、予約計数部６の日付や時刻を設定する。また、画像情報は、印字する文字や図形の印字データと、フォントや印刷フォーマット等を指定する印字コマンドに整理されて記憶部５に再格納される。予約計数部６では日付や時刻が設定されると、予め計時していた現在の時刻から計数を開始する。予約計数部６での計数結果、設定された日付と時刻に一致すると、予約計数部６はバスラインを経由してＣＰＵ９にその旨を知らせる。指定時刻になったことを検知したＣＰＵ９は、今迄ＯＦＦ状態にあった主電源部２をＯＮ状態にし、画像形成部１１に印字指令を与える。一方、ＣＰＵ９によって記憶部５に格納されている印字データを、印字コマンドに従ったビットマップデータに展開し、頁ごとに整理して記憶部５に再格納する。画像形成部１１は露光、現像、転写、定着等の準備が整い次第、記憶部５に格納されているビットマップデータを頁ごとに取り出してきて、指定された用紙上にプリントアウトする。」
　
　これらの記載及び図面によれば、引用例には、次の発明（以下、「引用発明」という。）が記載されていると認められる。
　「ホスト装置２１から受信した予約時間情報及び印字する文字や図形の印字データと、フォントや印刷フォーマット等を指定する印字コマンドに整理された画像情報を格納する記憶部５と、記憶部５に格納されているビットマップデータを頁ごとに取り出してきて、指定された用紙上にプリントアウトする画像形成部１１と、ホスト装置２１との間で双方向の通信を行うインターフェース３と、を有する、画像形成装置であって、
　インターフェース３は、ホスト装置２１から受信した予約時間情報及び画像情報を記憶部５に格納し、
　ＣＰＵ９は、受信した予約時間情報から時刻を計数し、指定時刻に達すると信号を発する予約計数手段の発する信号によって、指定時刻になったことを検知すると、画像形成部１１に印字指令を与え、記憶部５に格納されている印字データを、印字コマンドに従ったビットマップデータに展開し、頁ごとに整理して記憶部５に再格納し、
　画像形成部１１は、記憶部５に格納されているビットマップデータを頁ごとに取り出してきて、指定された用紙上にプリントアウトする画像形成装置。」
　
３．対比
　本願発明と引用発明とを対比する。
（１）引用発明における、ホスト装置２１から受信した画像形成に必要な「画像情報」が、画像データを含むこと、また、「記憶部５」が複数の画像データを記憶可能であることは明らかであるから、引用発明の「ホスト装置２１」、「画像情報」、「記憶部５」は、それぞれ本願発明の「外部装置」、「画像データ」、複数の画像データを記憶可能な「記憶手段」に相当する。
　引用発明の、記憶部５に格納されているビットマップデータを頁ごとに取り出してきて、指定された用紙上にプリントアウトする「画像形成部１１」は、本願発明の「記憶手段の画像データの出力を実行可能な出力手段」に相当する。
　引用発明は、ホスト装置２１との間で双方向の通信を行うインターフェース３を備え、ホスト装置２１から予約時間情報及び画像情報を受信することから、本願発明の「外部装置からのデータを受信可能な受信手段」に相当する構成を備えるといえる。
　そして、引用発明と本願発明とは、これらの構成を備えることから、いずれも「画像入出力装置」ということができる。
　したがって、引用発明と本願発明は、「複数の画像データを記憶可能な記憶手段と、該記憶手段の画像データの出力を実行可能な出力手段と、外部装置からのデータを受信可能な受信手段と、を有する、画像入出力装置」である点で一致する。
（２）引用発明は、ホスト装置２１から「予約時間情報」を受信し、「ＣＰＵ９」は、「受信した予約時間情報から時刻を計数し指定時刻に達すると信号を発する予約計数手段の発する信号によって、指定時刻になったことを検知すると、画像形成部１１に印字指令を与え、記憶部５に格納されている印字データ」を「プリントアウト」することから、引用発明の「予約時間情報」及び「指定時刻」は、それぞれ本願発明の、出力手段により画像データの出力を実行させるタイミングを特定する「時間情報」及び時間情報に基づいた「タイミング」に相当し、また、引用発明の「予約時間情報」が、ホスト装置２１にてユーザ操作により設定されることは自明である。
　さらに、引用発明は、前記「予約時間情報」を受信した場合に、「予約時間情報」に基づく指定時刻になったとき、印字データを「プリントアウト」することから、受信した時点では「プリントアウト」を実行させないことは自明であり、また、引用発明の「ＣＰＵ９」は、上記「プリントアウト」のタイミングの制御を行うことから、本願発明の「制御手段」に相当する。
　したがって、引用発明と本願発明は、「画像入出力装置」が、「受信手段は、出力手段により画像データの出力を実行させるタイミングを特定する時間情報が外部装置にてユーザ操作により設定されたうえで該外部装置から送信された画像データを受信可能」である点及び「前記出力手段により画像データの出力を実行させるタイミングを特定する時間情報が前記外部装置にてユーザ操作により設定されたうえで該外部装置から送信された画像データを前記受信手段が受信した場合に、該画像データを受信した時点で該画像データの出力を前記出力手段により実行させずに、該外部装置にて設定された該時間情報に基づいたタイミングで、該画像データの出力を前記出力手段により実行可能にする、制御手段」を有する点で一致する。
（３）引用発明の「ＣＰＵ９」は、上記（２）のとおり、受信した時点ではプリントアウトを実行させず、指定時刻になったとき、画像形成部１１に印字指令を与え、「記憶部５に格納されている印字データを、印字コマンドに従ったビットマップデータに展開し、頁ごとに整理して記憶部５に再格納」し、「画像形成部１１は、記憶部５に格納されているビットマップデータを頁ごとに取り出してきて、指定された用紙上にプリントアウトする」ことから、引用発明と本願発明は、「制御手段」が、「出力手段により画像データの出力を実行させるタイミングを特定する時間情報が外部装置にてユーザ操作により設定されたうえで該外部装置から送信された画像データを受信手段が受信した場合に、該画像データを受信した時点で該画像データの出力を出力手段により実行させない」点及び「画像データを前記出力手段により出力させる際の状態に展開し、展開済みの画像データを記憶手段に保持させ、該記憶手段の展開済の該画像データの出力を、前記出力手段により実行可能にする」点で一致する。
　
(４)一致点・相違点
　以上を踏まえると、本願発明と引用発明とは次の一致点及び相違点を有する。
　【一致点】
　「複数の画像データを記憶可能な記憶手段と、該記憶手段の画像データの出力を実行可能な出力手段と、外部装置からのデータを受信可能な受信手段と、を有する、画像入出力装置であって、
　前記受信手段は、
　前記出力手段により画像データの出力を実行させるタイミングを特定する時間情報が前記外部装置にてユーザ操作により設定されたうえで該外部装置から送信された画像データを受信可能であり、
　前記画像入出力装置は、
　前記出力手段により画像データの出力を実行させるタイミングを特定する時間情報が前記外部装置にてユーザ操作により設定されたうえで該外部装置から送信された画像データを前記受信手段が受信した場合に、該画像データを受信した時点で該画像データの出力を前記出力手段により実行させず、該外部装置にて設定された該時間情報に基づいたタイミングで、該画像データの出力を前記出力手段により実行可能にする、制御手段を有し、
　前記制御手段は、
　前記出力手段により画像データの出力を実行させるタイミングを特定する時間情報が前記外部装置にてユーザ操作により設定されたうえで該外部装置から送信された画像データを前記受信手段が受信した場合に、該画像データを受信した時点で該画像データの出力を前記出力手段により実行させず、画像データを前記出力手段により出力させる際の状態に展開し、展開済みの画像データを記憶手段に保持させ、該記憶手段の展開済の該画像データの出力を、前記出力手段により実行可能にする画像入出力装置。」
　
　【相違点１】
　本願発明は、「受信手段」が、「出力手段により画像データの出力を実行させるタイミングを特定する時間情報が前記外部装置にてユーザ操作により設定されずに該外部装置から送信された画像データを受信可能」であり、「制御手段」が、「出力手段により画像データの出力を実行させるタイミングを特定する時間情報が前記外部装置にてユーザ操作により設定されずに該外部装置から送信された画像データを前記受信手段が受信した場合に、該画像データを受信した時点で、該画像データの出力を前記出力手段により実行可能」であるのに対し、引用発明は、「出力手段により画像データの出力を実行させるタイミングを特定する時間情報」が設定されていない場合の「受信手段」及び「制御手段」の処理が特定されていない点。
　
　【相違点２】
　本願発明は、制御手段が、外部装置にて設定された時間情報に基づいたタイミングに「先立ち」、画像データを出力手段により出力させる際の状態に「前もって」展開して記憶し、既に展開済みの該画像データの出力を、「該外部装置にて設定された該時間情報に基づいたタイミングで、」前記出力手段により実行可能にするのに対し、引用発明は、制御手段が、外部装置にて設定された時間情報に基づいたタイミングで、画像データを出力手段により出力させる際の状態に展開して記憶し、展開済みの該画像データの出力を、前記出力手段により実行可能にする点。
　
４．判断
（１）相違点１について
　外部装置から画像データを受信し、直ちにプリントアウトする画像入出力装置は周知であり、引用発明の画像形成装置が、プリントアウトを実行させる予約時間を設定しない場合においても、ホスト装置から画像データを受信可能であり、その場合、画像データを受信した時点で、該画像データの出力を前記出力手段により実行可能とされていることは、当業者であれば自明である。
　したがって、引用発明の「画像形成装置」も、当然に、「出力手段により画像データの出力を実行させるタイミングを特定する時間情報が前記外部装置にてユーザ操作により設定されずに該外部装置から送信された画像データを受信可能」であり、この場合、「出力手段により画像データの出力を実行させるタイミングを特定する時間情報が前記外部装置にてユーザ操作により設定されずに該外部装置から送信された画像データを前記受信手段が受信した場合に、該画像データを受信した時点で、該画像データの出力を前記出力手段により実行可能」ということができるから、相違点１は、格別のことではない。
　
（２）相違点２について
　画像入出力装置において、プリントアウトまでに時間的な余裕がある場合、プリントアウトに先立ち、画像データを出力手段により出力させる際の状態に、前もって展開して記憶しておき、プリントアウト時に、展開された画像データをプリントアウトする技術手段は、例えば、特開平８−３０５８２８号公報、特開平１０−２７５０６４号公報に記載されているように周知である。
　
　前記特開平８−３０５８２８号公報には、以下の記載がある。
　「近年、ホストコンピュータにおいてページ記述言語（以下、ＰＤＬと称する）によって作成された画像データ（ＰＤＬデータ）を、ネットワークを介して受信し、該ＰＤＬデータを翻訳して記録紙又はＯＨＰ等の記録媒体に印刷出力する画像処理システムが提供されている。」（段落番号【０００２】）
　「一時停止モードにおいては画像形成装置側での準備と並行して画像処理装置側で画像データを予め展開しておくことにより、高速プリントが可能となる。」（段落番号【０１３１】）
　
　前記特開平１０−２７５０６４号公報には、以下の記載がある。
　「【発明の属する技術分野】本発明は、例えば、レーザービームプリンタやインクジェットプリンタ等のコントローラ部及びプリントサーバー装置に適用され、インターネット／イントラネットに象徴されるクライアント／サーバー環境における印刷業務に適した印刷制御システム及びこの印刷制御システムの印刷制御装置によって読出し可能なプログラム記憶媒体に関する。」（段落番号【０００１】）
　「【０１１４】また、印刷制御装置３０のＣＰＵのアイドルな時間帯を用いて、印刷制御装置３０が印刷リクエストを受信する以前に、メモリに一時記憶した情報ファイルを印刷装置において印刷可能なビットマップデータに前もって変換しているので、事前に印刷に備えた準備ができ、これにより、さらに情報ファイルを高速に印刷することができる。」（段落番号【０１１４】）
　
　引用発明においても、ＣＰＵ９が、画像情報の受信からプリントアウトまで、時間的な余裕があることから、引用発明に上記周知技術を採用し、予約時間情報に基づく指定時刻に先立ち、印字データを、印字コマンドに従ったビットマップデータに、前もって展開して記憶部５に格納しておき、指定時刻になったとき、記憶されたビットマップデータを取り出してプリントアウトする構成とすること、すなわち、上記相違点２に係る、制御手段が、外部装置にて設定された時間情報に基づいたタイミングに先立ち、画像データを出力手段により出力させる際の状態に前もって展開して記憶し、既に展開済みの該画像データの出力を、該外部装置にて設定された該時間情報に基づいたタイミングで、前記出力手段により実行可能とする構成とすることは、当業者であれば容易に想到し得ることである。
　
　そして、本願発明の効果についても当業者が予測し得ない格別顕著なものということはできない。
　
５．むすび
　以上のとおり、本願発明は、引用例に記載された発明及び周知技術に基づいて、当業者が容易に発明をすることができたものであるであり、特許法２９条２項の規定により特許を受けることができないから、本願は、他の請求項について検討するまでもなく、拒絶すべきものである。
　よって、結論のとおり審決する。